(57)【特許請求の範囲】
【請求項１】
管状の内腔内人工補綴物（１０）を身体の内腔内の目標位置に配置する送出システム（３０）であって、
基端部（３８）と、末端部（４０）と、該末端部（４０）の近傍で前記人工補綴物（１０）を受け入れ可能である内腔（３６）とを有する鞘（３２）と、
前記鞘（３２）の内腔（３６）内の部材であって前記鞘（３２）が前記部材に関する前記内腔内人工補綴物の末端位置から前記内腔内人工補綴物の基端位置へ移動するときに前記内腔（３６）から前記人工補綴物（１０）を追い出すように適合された部材と、
前記部材に関して前記鞘を移動させることのできる操作機構（９０）と、
前記鞘（３２）の外側に取り付けられた外管（５４）であって、該外管が導入弁に挿入されたときの前記外管と前記導入弁との間の摩擦が前記目標位置からの前記内腔内人工補綴物の移動を阻止するのに役立つように前記部材を軸線方向に拘束した外管とを含む、送出システム。
【請求項２】
管状の内腔内人工補綴物（１０）に使用される送出システム（３０）であって、
基端部（３８）と、末端部（４０）と、該末端部（４０）の近傍で前記人工補綴物（１０）を受け入れ可能である内腔（３６）とを有する鞘（３２）と、
前記鞘（３２）の内腔（３６）内の部材であって前記鞘（３２）が前記部材に関する前記内腔内人工補綴物の末端位置から前記内腔内人工補綴物の基端位置へ移動するときに前記内腔（３６）から前記人工補綴物（１０）を追い出すように適合された部材と、
前記部材に取り付けられた操作機構であって前記鞘（３２）が前記内腔内人工補綴物の末端位置と前記内腔内人工補綴物の基端位置との間で移動するときに変化する機械的倍率をもって前記鞘（３２）にハンドル（５２）を連結する操作機構（９０）とを含み、
該操作機構は、軸線を規定するねじ（１１４）を含み、また、前記ねじ（１１４）のピッチ（１２８、１３０）は前記ねじ（１１４）の軸線に沿って変化する、送出システム。
【請求項３】
前記部材に関する前記ハンドル（５２）の１回転は前記鞘（３２）が前記内腔内人工補綴物の末端位置の近傍にあるときに前記部材に関する前記鞘（３２）の第１の変位を生じさせ、また、前記ハンドル（５２）の１回転は前記鞘（３２）が前記内腔内人工補綴物の基端位置の近傍にあるときに前記第１の鞘の変位と異なる、前記鞘（３２）の第２の変位を生じさせる、請求項２に記載の送出システム。
【請求項４】
前記第１の鞘の変位は前記第２の鞘の変位より小さい、請求項２に記載の送出システム。
【請求項５】
前記機械的倍率は、前記鞘（３２）が前記内腔内人工補綴物の末端位置の近傍にあるとき、前記人工補綴物（１０）と前記鞘（３２）との間の静的摩擦力に打ち勝つように適合され、また、前記機械的倍率は、前記鞘（３２）が前記内腔内人工補綴物の基端位置の近傍にあるとき、前記静止摩擦力より小さい動摩擦力に打ち勝ちかつ前記鞘（３２）からの前記人工補綴物（１０）の追い出し速度を高めるように適合されている、請求項２に記載の送出システム。
【請求項６】
前記ねじ（１１４）は多リードねじを含み、また、前記操作機構（１１０）は、さらに、スライダ（１００）を含み、前記スライダ（１００）は、該スライダと前記ねじ（１１４）とを構成するグループの１つの部材が他の部材に関して回転するように前記ねじ（１１４）と係合する複数のピン（１３６）を有する、請求項５に記載の送出システム。
【請求項７】
前記ハンドル（１１２）は前記鞘（３２）と実質的に整列する管状構造を含み、前記ハンドル（１１２）は、前記鞘（３２）の軸線の周りの前記ハンドル（１１２）の回転が前記部材の移動を生じさせるように前記ねじ（１１４）に連結されている、請求項５に記載の送出システム。
【請求項８】
半径方向に膨張可能である管状の内腔内人工補綴物に使用される請求項２に記載の補綴送出システムであって、
前記鞘（３２）は、前記基端部（３８）と前記末端部（４０）との端部間の軸線を有し、前記ハンドル（５２）は、前記内腔内人工補綴物の末端位置から前記内腔内人工補綴物の基端位置への前記鞘（３２）の移動を生じさせるために前記鞘（３２）の軸線に実質的に平行な軸線の周りに回転可能である、送出システム。
【請求項９】
前記操作機構（９０）、前記鞘（３２）および前記部材は、取り外し不能に連結された使い捨て可能のポリマー構造を含む、請求項２または８に記載の送出システム。
【請求項１０】
前記操作機構（９０）は、さらに、スライダ（１００）と、該スライダに前記ハンドルの一部を連結するねじ（９２）とを含み、前記スライダ（１００）は、前記ハンドル（５２）が回転するときに前記スライダ（１００）が軸線方向へ移動するように、ハウジング（５０）に関して回転が制限されている、請求項８に記載の送出システム。
【請求項１１】
前記ハンドル（５２）は、前記鞘（３２）と実質的に同軸状に配置された管状構造を含む、請求項１０に記載の送出システム。
【請求項１２】
前記回転可能のハンドルの一部が前記ねじ（９２）を規定する内面を有し、前記スライダ（１００）は前記部材に連結され、また、前記ねじ（９２）が回転するときに前記部材を引っ張るように前記ねじ（９２）と係合している、請求項１１に記載の送出システム。
【請求項１３】
前記ねじ（１１４）のピッチ（１２８、１３０）が前記回転可能のハンドルの一部の軸線方向長さに沿って変化する、請求項１０に記載の送出システム。
【請求項１４】
前記操作機構（９０）は、前記鞘（３２）を軸線方向に前記部材に関して約７．０インチおよび１０．０インチ間の距離だけ移動させることができる、請求項８に記載の送出システム。
【請求項１５】
さらに、前記鞘（３２）の全面にわたって配置された外管（５４）であって、前記鞘（３２）が前記内腔内人工補綴物の末端位置から前記内腔内人工補綴物の基端位置へ移動するときに前記外管（５４）が前記部材と軸線方向に整列したままでいるように前記ハウジング（５０）に連結されている、請求項２または８に記載の送出システム。
【請求項１６】
さらに、前記鞘（３２）の周りおよび前記外管（５４）の周りの止血を維持することができる導入弁（８２）と、前記部材と前記鞘（３２）との間および前記外管（５４）と前記鞘（３２）との間の滑りシールとを含む、請求項１５に記載の送出システム。
【発明の詳細な説明】
発明の背景
１．発明の技術分野
本発明は、一般的には、ステント（stent）、ステント−移植片（stent-graft）等のような管状の内腔内人工補綴物に関する。より詳細には、本発明は、身体の内腔内、特に動脈瘤、狭窄症等の治療のために脈管系内に人工補綴物を正確かつ安全に配置すべくこれらに用いられる改良された送出システムおよび方法に関する。
動脈瘤は、通常は病気および／または遺伝的素質に起因する血管の異常な拡張の結果であり、動脈壁を脆くしまたこれを拡張する。脈瘤はどの血管でも起こり得る。最も起こり得るのは、大動脈および周辺の動脈であり、大多数は腹部大動脈に生じる大動脈の脈瘤であるが、通常、腎臓動脈の下方に始まり、多くの場合、腸骨動脈の一つまたは両方へと伸びている。
大動脈の脈瘤については、現在では開腹手術の処置がとられ、罹患した血管部分を迂回して該血管部分を人工導管移植片で修復する。効果的な外科的手法が考えられる一方で、致命的な破裂した腹部大動脈の脈瘤の代案を特に考慮すると、従来の導管移植片手術では多くの不利がある。外科手術は複雑であり、また、経験豊富な外科医と設備の整った外科施設とを必要とする。しかし、最高の外科医と設備とをもってしても、治療を受ける患者は、多くの場合、高齢でありまた心臓血管その他の病気で弱っており、これが適格な患者の数を減らしている。破裂前の適格な患者でさえ、これまでの動脈瘤修復における死亡率は、通常、２％から１０％と比較的高い。これまでの外科手術に関連する病状は、心筋梗塞、腎不全、インポテンス、麻痺その他の状態を含む。加えて、手術が成功しても、回復に数週間を要し、また、多くの場合、長期の病院滞在を必要とする。
これらの不利益の一部または全部を解消するため、動脈瘤の治療のための内腔内人工補綴物の配置が提案されている。非常に有望ではあるが、これらの提案方法および装置の多くは、望ましくない制限を受ける。特に、脈管系内の血管内人工補綴物の正確な送出および配置が問題となる。
ステント−移植片は、多くの場合、周囲の血管壁に対して拡張または膨張するように偏倚される弾力のある構造を有する。このような弾性的に膨張するステント−移植片は、カテーテル内で強く圧迫され、カテーテルの鞘の周囲に対して大きい力を及ぼす。これは、多くの場合、特に弾性的に膨張する構造が前記カテーテル材料内に入るとき、前記ステント−移植片と前記鞘との間に過剰な摩擦をもたらす。これらのカテーテルは、多くの場合、曲がった脈管系のシステム内で巧みに操作することが求められるため、前記カテーテル壁の弾性材料内で強く圧迫されたステント−移植片の鞘入れが特にやり易い弾力のある長尺体として形成される。
これらの理由から、動脈瘤および身体の内腔のその他の病気の治療のため、ステント、ステント−移植片等のような人工補綴物の内腔内配置のための改良された装置、システムおよび方法を提供することが望まれる。このような改良されたシステムおよび方法が、配置時間、機器費または配置手順の複雑さを極端に増大させることなしに、配置手順の正確性および安全性を高めるものであることが特に望ましい。
２．背景技術の説明
人工補綴物の内腔内配置のための装置は、米国特許第4,512,338号、第4,651,738号、第4,665,918号、第5,458,615号、第5,480,423号、第5,484,418号、第5,489,295号、第4,990,151号、第5,035,706号、第5,433,723号、第5.443,477号、第5,282,824号、第5,275,622号、第5,242,399号、第5,201,757号、第5,190,058号、第5,104,399号、第5,092,877号および第4,990,151号、並びに欧州特許公報EP 0 539 237 A1、0 518 839 A2、EP 0 505 686 A1およびEP 0 508 473 A2に記載されている。
発明の概要
本発明は、身体の内腔内への内腔内人工補綴物の配置、特に脈管系内へのステントおよびステント−移植片の配置のための改良されたシステム、装置および方法を提供する。公知の送出システムを超える第１の改良では、鞘の位置に従って変化する、可変の機械的倍率を有する操作機構を用いて、強く圧迫された人工補綴物の全面から前記鞘が取り除かれる。これは、前記鞘の移動を容易かつ正確に開始することを可能にする。一旦、配置が安全に進行し、静的摩擦力に打ち勝った後は、前記配置の残りは、全体的に安全性または使用の容易性を極端に低下させることなしに、より迅速に進行する。他の改良点においては、前記操作機構のためのハンドルが前記鞘の軸線と平行な軸線の周りに回転可能であり、これによ、前記人工補綴物または送出システムに前記ハンドルにより伝えられる不注意による基端部および末端部のいかなる移動をも回避する。また、この送出システムの使用上の正確性および容易性は、前記鞘内の人工補綴物拘束部材に連結される前記鞘の周りに外管を付与することにより改良される。この外管は導入弁を通して挿入され、その結果、前記鞘が基端部側に引っ込められるとき、前記外管と前記導入弁との間の摩擦が前記人工補綴物を目標位置に拘束するのに役立つ。
本発明は、第１に、管状の内腔内人工補綴物に使用する送出システムを提供する。この送出システムは、基端部と、末端部と、内腔とを有する鞘を含む。前記内腔は、前記末端部の近傍で、前記人工補綴物を受け入れることができる。前記鞘の内腔内の部材は、前記鞘が前記部材に関する前記内腔内人工補綴物の末端位置から前記内腔内人工補綴物の基端位置へ移動するとき、前記人工補綴物を追い出すように適合されている。操作機構が前記部材に取り付けられており、また、前記操作機構は前記鞘が前記内腔内人工補綴物の末端位置から前記内腔内人工補綴物の基端位置との間で移動するときに機械的倍率が変化するようにハンドルを前記鞘に連結している。
一般に、前記ハンドルの変位は、前記鞘が前記内腔内人工補綴物の末端位置の近傍にあるときは、前記部材に関する前記鞘の第１の変位を生じさせる。このハンドルの同じ変位は、前記鞘が前記内腔内人工補綴物の基端位置の近傍にあるときには、前記部材に関する前記鞘の非常に大きい変位をもたらす。典型的には、最初の機械的倍率は、前記人工補綴物と前記鞘との間の静的摩擦力に打ち勝つために大きく、前記鞘をゆっくりとかつ正確に引っ込めることができる。一旦、前記鞘が前記人工補綴物の全面を滑動し始めると、また、ある実施例においては、一旦、前記人工補綴物の端部が周囲の内腔壁と係合するように膨張すると、低い機械的倍率を用いることにより前記配置がより迅速な進度で進む。
また、その他に、本発明は半径方向に膨張可能である管状の内腔内人工補綴物に使用される人工補綴物送出システムを提供する。この送出システムは、基端部と、末端部と、これらの端部間の軸線と、前記末端部の近傍で前記人工補綴物を受け入れ可能である内腔とを有する鞘を含む。部材が、前記鞘が前記部材に関する前記内腔内人工補綴物の末端位置から前記内腔内人工補綴物の基端位置へ移動するときに前記内腔から前記人工補綴物を追い出すため、前記内腔に配置されている。操作機構が前記部材に取り付けられており、また、前記鞘をハンドルに連結している。前記ハンドルは前記鞘の軸線に実質的に平行な軸線の周りに回転可能であり、前記内腔内人工補綴物の末端位置から前記内腔内人工補綴物の基端位置への前記鞘の移動に影響を及ぼす。
さらに、その他に、本発明は、患者の身体内に管状の内腔内人工補綴物を挿入するための送出システムを提供する。この送出システムは、基端部と、末端部と、該末端部の近傍で前記人工補綴物を受け入れ可能である内腔とを有する鞘を含む。部材が前記内腔内に配置されており、前記鞘が前記部材に関する前記内腔内人工補綴物の末端位置から前記内腔内人工補綴物の基端位置へ移動するときに前記内腔から前記人工補綴物を追い出すように適合されている。外管が前記鞘を覆って配置されている。ハウジングが前記鞘の基端部の近傍で前記部材に取り付けられ、また、前記鞘が前記内腔内人工補綴物の末端位置から前記内腔内人工補綴物の基端位置へ移動するときに前記外管が前記部材と実質的に同軸に整列して残るように前記外管に連結されている。前記外管は、多くの場合、導入弁内に挿入可能であり、その結果、前記外管と前記導入弁との間の摩擦が配置の間に前記目標位置に前記人工補綴物を保持するのに役立つ。
本発明の方法においては、半径方向へ膨張可能である管状の内腔内人工補綴物が鞘の内腔内で身体の内腔の目標位置に配置される。前記人工補綴物は、ハンドルを操作することにより前記鞘から離される。これは、前記内腔内人工補綴物の末端位置から前記内腔内人工補綴物の基端位置へ基端部側に前記鞘を引っ込める。前記ハンドルの変位は、前記鞘が前記内腔内人工補綴物の末端位置の近傍にあるときには前記鞘の第１の変位をもたらす。同じハンドルの変位は、前記鞘が前記内腔内人工補綴物の基端位置の近傍にあるとき、前記第１の鞘の変位と異なる前記鞘の第２の変位をもたらす。
本発明により提供される他の方法では、半径方向に膨張可能である内腔内人工補綴物が、該人工補綴物が鞘の内腔内に配置されている間に身体の内腔内の目標位置に前記人工補綴物を配置することにより配置される。前記人工補綴物は、ハンドルを回転させることにより、前記鞘から離される。前記ハンドルは、前記鞘の軸線と平行である軸線の周りに回転し、前記人工補綴物の全部にわたって前記鞘を軸線方向へ移動させる。
本発明のさらに他の方法では、半径方向に膨張可能である管状の内腔内人工補綴物が、導入弁を通して身体の内腔内に前記人工補綴物を挿入することにより配置される。前記人工補綴物は、鞘の内腔内に配置されている間に挿入される。外管もまた導入弁を通して挿入され、また、前記人工補綴物が身体の内腔内の広範囲に配置される。前記人工補綴物は、前記鞘を引き込みかつ前記鞘内に配置された部材で前記人工補綴物を拘束することにより前記鞘から離される。この部材は、前記人工補綴物を離す間に前記外管に関して軸線方向に拘束され、その結果、前記導入弁と前記外管との間の摩擦が前記目標位置からの前記人工補綴物の移動を阻止するのに役立つ。
【図面の簡単な説明】
図１は、代表的な筒状の血管のステント−移植片の単純化した側面図である。
図２は、本発明の原理に従う送出システムの斜視図である。
図３は、代表的なモジュール式の内腔内分岐人工補綴物を示す。
図４は、分岐人工補綴物を配置するために図２の送出システムを用いる方法を示す。
図５は、導入弁と送出鞘との間に低摩擦の密封を与えるために図２の送出システムで使用される外管を示す。
図６は、配置の間の人工補綴物の移動を阻止するために送出鞘と導入弁との間に外管を使用する方法を示す。
図７は、導入弁と人工補綴物との間の相対移動を外部支持ロッドで阻止する他の送出システムを示す。
図８は、図２の配置システムの操作機構を示す断面図である。
図９は、図８の操作機構の構成要素を示す分解図である。
図１０および図１１は、それぞれ、ピッチが可変であるねじを含む操作機構を有する他の配置システムの断面図および側面図である。
図１２は、図１０の配置システムで使用される可変ピッチねじを形成するためのマンドレルを示す。
図１３は、図１０の配置システムの操作ハンドルを貫く断面図である。
図１４ないし図１７は、図２および図１０の配置システムで使用される操作システムの構成要素を示す。
好ましい実施例の説明
本発明は、半径方向へ膨張可能である管状の人工補綴物、特にステント（stent）、ステント−移植片およびこれらと同様のものを送出するための送出装置、システムおよび方法を提供する。本発明の送出機構および方法は、尿管、尿道、気管、鰓、食道、肝管およびこれらと同様のものについてステントを行う（stent）ことを含む、様々な治療上の使用に好適である。また、これらの構造および方法は、瘻孔の形成のためのような、一時的または長期の内腔を作るために有用である。本発明は、脈管系の病気の治療、特に動脈瘤、狭窄症およびこれらと同様のものの治療として、内腔内人工補綴物の送出のための迅速な適用を提供する。
以下に説明する構造および方法は、配置に先立ちまたは本来の位置において、軸線方向に一様な円筒状の人工補綴物、予め組み立てられた二股の人工補綴物、および、選択的な組立用補綴モジュールの配置において有用性を有する。モジュールの補綴構造および送出方法は、同時係属の米国特許出願である、1996年８月２９日出願の第08/704,960号（代理人ドケット番号16380-003410）、1995年１０月３日出願の第08/538,706号（代理人ドケット番号16380-003800）および1996年１０月７日出願の60/028,928（代理人ドケット番号16380-004110）により詳細に記載されており、その完全な開示は参照によりここに組み入れられている。
図１を参照すると、代表的な円筒状の人工補綴物１０は、複数の独立したリングフレーム１４として形成された好ましい管状フレーム１２を含む。管状フレーム１２はインナーライナー１８を支持する。選択的に、インナーライナー１８の内側またはこれと組み合わせて、アウターライナーが前記リングフレームを覆って配置される。
ライナー１８にリングフレーム１４を固定するため、典型的には前記ライナーが前記フレームに縫合される。接着結合、熱溶接、超音波溶接およびこれらと同様のものを含む、代わりの様々なライナー／フレーム取り付け構造が利用可能である。好ましくは、ライナー１８と周囲の本体の内腔との間の密閉性を高めるため、ライナー１８はフレーム１２の先端の基端部および末端部の間で縫合されている。
人工補綴物１０は、典型的には、約２０ｍｍから５００ｍｍまでの範囲の長さを有し、好ましくは、５０ｍｍないし２００ｍｍである。人工補綴物１０の緩んだ状態における直径は、ほぼ４ｍｍから４５ｍｍまでの範囲内にあり、好ましくは、約５ｍｍないし３８ｍｍの範囲内にある。
図２を参照すると、代表的な送出システム３０は、管状の鞘３２と、シャフト３４とを含む。鞘３２は、基端部３８から末端部４０まで伸びる内腔３６を有する。シャフト３４は内腔３６内に滑動可能に受け入れられており、また、複数のランナー４２が前記シャフトから末端部へ伸びている。これらのランナー４２は内腔３６の内面の一部を覆い、前記シャフトの内腔内を滑動する。また、シャフト３４は内腔を有し、該内腔にコアシャフト４４が固定されている。コアシャフト４４はガイドワイヤ用内腔４６を有する。ノーズコーン４８がコアシャフト４４の末端部に固定されており、このため、前記ノーズコーンは前記ランナーと共に操作することができる。代わりに、ノーズコーン４８の独立した操作を可能とすべく、コアシャフト４４をシャフト３４内に滑動可能に配置することができる。
人工補綴物１０は半径方向に圧迫されかつ複数のランナー４２内に保持される。同様に、鞘３２はこれらのランナー４２が外側へ膨張または拡大しないようにする。これらのランナー４２は好ましくは硬質材料で形成され、内腔３６の内面に人工補綴物１０の前記フレームからの膨張荷重を分配する。複数のランナー４２を用いる人工補綴物の配置のための代表的な方法および装置は、1995年６月７日に出願された同時係属の米国特許出願番号08/475,200（代理人ドケット番号16380-001130）に、より完全に記載されており、その完全な開示は参照によりここに組み入れられている。
ハウジング５０が鞘３２の基端部３８に配置されている。ハウジング５０は、人工補綴物１０がランナー４２とシャフト３４とによって軸線方向に拘束されている間に鞘３２を基端部側に引っ込めるための操作機構を収容している。鞘３２を基端部側へ引き込むため、図示のように、ハンドル５２が前記鞘の軸線の周りに回転される。これは、配置の間に前記ハンドルの回転から前記送出システムのいかなる軸線方向移動をも不注意によって加えることを回避し、これにより、人工補綴物１０が目標位置から軸線方向へ移ることを防止し、また、不注意によるランナー４２の進行による周囲の身体の内腔を傷付けることを回避する。
鞘３２を覆う外管５４がハウジング５０から末端部へ伸びている。シャフト３４はハウジング５０を貫通して伸び、コネクタ５６に固定されており、該コネクタはハウジング５０の基端部に取り外し可能に取り付けられている。したがって、シャフト３４と外管５４とは前記ハウジングを介して互いに連結され、その結果、ハンドル５２が回転するとき、鞘３２がこれらの２つの構造間で基端部側へ引っ込む。一旦、前記人工補綴物が配置されかつランナー４２が前記人工補綴物と周囲の身体の内腔との間から基端部側へ滑動すると、ランナー４２とノーズコーン４８の基部とを後退させて鞘３２の末端部内に戻すべく、コネクタ５６がハウジング５０から取り外される。
コアシャフト４４のガイドワイヤ用内腔４６へのガイドワイヤの導入を容易にし、あるいは不使用時に前記ガイドワイヤ用内腔が密封され得るように、ルア取り付け部品（luer fitting）がコネクタ５６の基端部に固定されている。
図３を参照すると、組み立てられた二股の内腔内人工補綴物６０は、幹部分６４と２つの枝部分６８との間の比較的堅い内腔分離部６２を含む。内腔分離部６２は、比較的高いコラムおよびフープ強さを与えるために連続したフレームを含み、これに対し、前記枝の端の幹部分が軸線方向に関する可撓性を高めるために複数のループが分離されている独立した複数のリングフレームまたは螺旋状のフレームで形成される。シーリングカフ６６および７０が健全な組織に前記人工補綴物を確実に固定し、また、血管の周囲のエンドリチウム（endolithium）に対して前記補綴内腔を密封する。
図４に概略的に示すように、二股の人工補綴物６０の二股補綴モジュールが送出システムを使用して配置され、腹部大動脈瘤AAAを分離している。この最初の補綴モジュールは腹部大動脈AAAから第１の腸骨Ｉに伸び、また、膨張した動脈瘤を血液流動から効果的に密封するための円筒状の補綴モジュールを受け入れるための開口７２を有する。前記補綴モジュールは、該モジュールを複数のランナー４２内に軸線方向に関して拘束しかつ鞘３２を基端部側へ引っ込めることにより配置される。典型的にはステンレス鋼のような高強度金属の薄いストリップを含むこれらのランナーは、鞘３２の内腔に沿って滑動し、前記人工補綴物の弾力が少なくなるように外方へ曲がっている。一旦、前記補綴モジュールが完全に膨張されると、前記膨張された人工補綴物が前記ランナー間で血管壁と係合する間に前記ランナーは前記人工補綴物と周囲の血管壁との間から基端部側へ引っ込められる。
図４に示す前記二股の補綴モジュールは、該補綴モジュールの位置決めおよび組立を蛍光観察により容易にするための目立たない放射線不透過性の目印７４を含む。この放射線不透過性の目印は、1996年４月５日に出願された同時係属の米国特許出願番号08/628,797（代理人ドケット番号16380-005600）および1997年６月１７日に出願された同時係属の米国特許出願（代理人ドケット番号16380-005710）とにより完全に記載されており、その完全な開示は参照によりここに組み込まれている。
図５を参照すると、外管５４は、一般に、管状体７６とエンドキャップ７８とを含む。Ｏ−リング８０がエンドキャップ７８内に配置され、鞘３２の外面の周りに低摩擦の止血密封性を与える。前記したように、本発明のランナーは、前記半径方向に圧迫された人工補綴物に関し、鞘３２を円滑に引っ込めることを容易にする。しかし、実質的な量の摩擦は、前記送出システムが患者の身体８４に入る送出システム３０の外面と導入鞘８２との間で生じる。
導入鞘は、一般に、カテーテル、ガイドワイヤ、様々なサイズおよび外形の他の侵入外科用器具の周囲の止血を提供する。このような導入鞘は、典型的に、前記送出システムの最外層と半径方向に係合する弾性の密封体を有する。
一般に、鞘３２を基端部側へ引き込む間に前記内部の人工補綴物を決まった位置に残すことが望ましいが、導入弁８２と鞘３２との間の摩擦は一般に不利に働く。しかし、図６に示すように、外管５４をハウジング５０に連結することにより、また、シャフト３４とハウジング５０とに関して鞘３２を引っ込める操作機構を提供することにより、外管５４と導入弁８２との間の摩擦は、配置の間に前記目標位置に前記人工補綴物を拘束することに役立つように用いられる。
導入弁８２への外管５４の挿入を容易にするため、管状体７６の末端部が先細にされている。ある実施例では、外管５４と前記人工補綴物とが配置されると導入弁８２が操作され、前記人工補綴物を決まった場所に固定するために前記外管に前記密封体を押し付ける。特に有利な操作可能の導入弁は、1996年１１月６日に出願された同時係属米国特許出願番号08/744,659（代理人ドケット番号16380-006300）に記載されており、その完全な開示は参照によりここに組み込まれている。
患者の身体８４内の人工補綴物の位置を維持するための代わりのシステムおよび方法が図７に記載されている。この実施例では、シャフト３４に関する鞘３２の引き込みのための操作機構が取り外し可能の操作ハウジング８６内に収容されている。ハウジング８６は、ブレースロッド８８を用いて導入弁８２に連結されている。ここに記載のハウジング８６と前記操作機構とは、複数回の配置手順に再利用可能であるが、このシステムのコストは、特に前記ハウジングおよび操作機構の繰り返しの消毒を考慮すると、一般に図２に示す送出機構より高い。加えて、鞘３２の軸線に対して直角に回転する操作ハンドルの使用は、配置の間の前記人工補綴物の不注意による軸線方向移動をもたらす。これは、ランナー４２が身体の内腔の周囲に露出されるとき、前記ランナーのどのような末梢的な利点も前記内腔壁を傷付けまたはこれを貫通することになるため、特に問題がある。
ハンドル５２の軸回転を鞘５４の軸の並進運動に変換する操作機構９０は、図８および図９を参照することにより理解されよう。ハンドル５２は、内ねじ９２を有する管状構造を含む。ハウジング５０は、末端のハウジング部９４と基端のハウジング部９６とを含む。これらのハウジング部は、ねじ溝が設けられた前記ハンドル内を軸線方向へ伸びる、スロットが設けられた管９８により共に保持されている。
スライダ１００が鞘３２の基端部に固定されている。スライダ１００は、スロットが設けられた管９８を取り囲む、ねじ山が設けられたリング１０２と、前記スロットが設けられた管の内部で支えられて動く内側の物体１０４とを含む。ねじ山が設けられたリング１０２は複数の止めねじ、前記内側の物体から半径方向に突出する複数のタブ、前記ねじ山が設けられたリングから半径方向内方へ突出する複数のタブ、またはこれらと同様のものにより内側の物体１０４に固定されている。それとは関係なく、スライダ１００のある構造は、スロットが設けられた管９８の複数のスロットを経て半径方向へ伸びており、これにより、前記スロットが設けられた管はスライダ１００を回転するように拘束する。
補強ロッド１０６がハウジング５０の基端部９６から末端へ伸びている。補強管１０６は、スライダ１００を貫通してハウジング５０の末端部の近傍に伸び、また、鞘３２の内腔に滑動するように受け入れられている。コネクタ５６は、基端部の取付部１０８に連結可能である。コネクタ５６はシャフト３４に固定され、その結果、コネクタ５６が基端部の取付部１０８に取り付けられるとき、ハウジング５０が外管５４とシャフト３４との間に軸線方向に関する整列を維持する。補強管１０６は、スライダ１００が基端側に移動するときのシャフト３４の曲がりを防止する。
鞘３２は、ハウジング５０に関してハンドル５２を回転させることにより基端側に引っ込められる。スライダ１００のねじ山が設けられたリング１０２がハンドル５２の内ねじと噛み合い、また、スロットが設けられた管９８がスライダ１００のハウジング５０内での回転を制限しているため、前記ハンドルの回転が前記スライダと取り付けられた移植片カバーとを図示のように軸線方向へ引く。この実施例では、内ねじ９２はハンドル５２の長さに沿って一定であり、このため、前記ハウジングに関する前記ハンドルの特定の変位が、前記スライダの位置に拘わらず前記スライダの調和した軸線方向変位をもたらす。このような一定の内ねじは、ハンドル５２と鞘３２との間に約４：１から３：１の範囲の総機械的倍率を与える、約0.125および0.250の間のピッチを有する。後述するように、前記ねじは、多くの場合、２またはそれ以上のリードを有し、このため、隣接するねじ山の距離は１／２（またはそれ以下）のねじピッチである。
変位可変の送出システム１１０が図１０および図１１に示されている。ピッチ可変の送出システム１１０は、多くの前記したと同様の要素を含むが、可変ピッチの内ねじ１１４を有するハンドル１１２を利用する。可変ねじ１１４は、前記ハンドルの各回転が配置の最初の位相の間に管鞘３２を基端部側へ比較的小さい軸線方向距離だけ移動させるように、ハンドル１１２の末端部の近傍に比較的小さいピッチを有する。これは、前記ハンドルと前記鞘との間に増大された機械的倍率を与え、外科医が前記人工補綴物と周囲の鞘との間の大きい静的摩擦力を克服するのに役立つ。また、この増大した機械的倍率は、周囲の鞘材料内への前記人工補綴物のフレームのどのような重積をも可能とするのに役立つ。その結果、前記人工補綴物の末端部（これは最初に配置される）は非常にゆっくりと解放され、前記人工補綴物が最初に周囲の身体の内腔に係合するときに外科医が前記配置位置の正確さを確かめることができる。これらの末端部側のねじは約0.125および0.375間のピッチを有し、約４：１から約２．５：１の範囲の機械的倍率を与える。
比較的小さいピッチを有する不変ねじの送出システムを用いることが可能であるが、これには、前記ハンドルを繰り返し回転させるのに相当の時間が必要である。加えて、一旦、前記静的摩擦力に打ち勝って前記鞘が動き始め、また、動摩擦力が典型的に静的摩擦力より低いとき、前記人工補綴物と周囲の鞘との間の摩擦力は低下する。さらに、ますます多くの前記人工補綴物が前記周囲の鞘から解放されるとき、前記人工補綴物と前記鞘との間の全法線力が低下する。これは、配置に関する摩擦をさらに減少させるように働く。前記人工補綴物の膨張された部分は、さらに、前記人工補綴物が前記周囲のランナー内で膨張するときの残りの圧迫された部分を軸線方向へ引っ張るのに役立つ。最後に、一旦、前記人工補綴物の端部が周囲の身体の内腔と堅く係合すると、前記人工補綴物と前記周囲の身体の内腔との間の関係が大部分定められ、その結果、配置がより迅速に安全に進められ得る。全てのこれらの相互作用の結果、前記人工補綴物が完全に配置される、前記鞘が末端位置１１８から前記人工補綴物の全部について基端位置１２０まで移動するとき、一般にはハンドル１１２と鞘３２との間の前記機械的倍率を減少させることが望ましい。
可変ねじ１１４の使用、および、ハンドル１１２とスライダー１００とスロットが設けられた管９８との間の関係は、図１２ないし図１７を参照することにより理解されよう。図１２は、可変ねじ１１４を押し付けるようにハンドル１１４が成形されたマンドレル１２２を示す。前記ハンドルは、多くの場合、マンドレル１２２上に２つの半部で成形され、該２つの半部は軸線方向に関して結合される。マンドレル１２２は、該マンドレルの軸線方向長さに沿ってピッチが変化する雄ねじ１２４を含む。好ましくは、ねじ１２４は、２またはそれ以上の螺旋状のねじ要素を有する多リードを有する。その結果、隣接するねじ要素間の距離１２６は、マンドレル１２２の末端部のピッチ１２８のわずかに１／２である。多リードねじの使用は、多数の要素が前記スライダーから軸線方向へ伸長し、前記周囲のねじと係合することを可能とし、これにより前記スライダーの安定性を高める。
前記したように、末端のピッチ１２８は基端のピッチ１３０より非常に小さく、その結果、前記ハンドルの定速回転は、前記人工補綴物に関する前記鞘の軸線方向速度の増大を生じさせる。ハンドル１１２の各回転は、好ましくは、鞘３２が被覆位置１１８の近傍にあるとき、鞘３２を約０．２５インチの軸線方向距離だけ動かし、他方、前記ハンドルのこの同じ回転は、好ましくは、前記鞘が配置位置１２０の近傍にあるとき、前記鞘を約０．７５インチの軸線方向距離だけ動かす。換言すると、代表的な実施例における末端のピッチ１２８は約０．２５インチであり、他方、基端のピッチ１３０は約０．７５インチである。前記ねじは、（図１２に示すように）前記基端部および末端部間で直線的に変化し、あるいは、図１０に示すように、実質的に階段状に変化するものとすることができる。さらに、これに代わるものとして、前記ねじの軸線方向長さに沿ったピッチの二次の変化が可能である。
図１３ないし図１５に示すように、スライダー１００はフィンのついた内側の物体１３２を外側のリング１３４に結合することにより形成することができる。外側のリング１３４は、ハンドル１１２の可変の雌ねじ１１４の２つの螺旋状要素中に伸びる相対するピン１３６を含む。外側のリング１３４上の雄ねじではなく前記ピンの使用が、前記ねじのピッチが変化するときにスライダー１００と前記ハンドルとの間の結合を阻止する。また、図１３にスロットが設けられた管９８とスライダー１００との相互作用を示すように、これにより、ハンドル１１２が回転するときに前記スロットが設けられた管が前記スライダの回転を制限する。他の実施例においては、スライダー１００は内側または外側の物体のみを含む。例えば、内側の物体が、前記スロットが設けられた管を経て、可変ねじ１１４中に伸びる複数のピンを有し、あるいは、外側の物体が前記スロットが設けられた管中に伸びる複数のフィンを有する。前記内側および外側の物体の使用は、結合を阻止するように前記スライダーの安定性を高める。
一般に、送出システム３０（ハウジング５０と操作機構９０とを含む）は廉価な高分子材料から形成され、また、前記送出システムが使用後に使い捨てが可能であるように、取り外し不能に互いに固定される。代表的な実施例においては、コアシャフト４４はポリエステルエチルケトン（PEEK）を含み、他方、シャフト３４はPEBAX（商標）のような高強度ポリマーを含む。スライダー１００は、典型的には、ポリカーボネートのような成形されたポリマーから形成され、他方、補強管１０６とスロットが設けられた管９８とは、ステンレス鋼または熱可塑性物質から形成される。また、ハンドル１１２とハウジング５０とは、典型的には、成形されたポリマー構造を含む。
コネクタ５６（およびハウジング５０の基端部における関連の取付部品）は、ミネソタ州セントポールのコールダ プロダクツ カンパニー（Colder Products Company）からモデル番号MPC 170-04Tで商業的に入手可能である。この分野の当業者は、送出システム３０が、典型的には補強管１０６と鞘３２との間および補強ロッド１０６とシャフト３４との間を密封するためのＯ−リングを使用して止血を維持するように実質的に密封されていることを理解するであろう。前記補強ロッドは、典型的には、実質的にハウジング５０を貫通して伸びるが、前記送出システムが身体の内腔内で曲がり得るように、前記ハウジングを著しく超えて末端側に伸びてはいない。図１１に示すように、このような可撓性は、前記人工補綴物の基部側で鞘３２の直径を減少させることにより高められる。
本発明の代表的な実施例を実例によりまた理解の明瞭性のために詳細に説明してきたが、当業者には数多くの適用、修正および変更が明らかであろう。したがって、本発明の範囲は添付の請求の範囲によってのみ制限を受ける。
【図１】
0004201354.tif 000002
【図２】
0004201354.tif 000003
【図３】
0004201354.tif 000004
【図５】
0004201354.tif 000005
【図４】
0004201354.tif 000006
【図６】
0004201354.tif 000007
【図７】
0004201354.tif 000008
【図８】
0004201354.tif 000009
【図９】
0004201354.tif 000010
【図１０】
0004201354.tif 000011
【図１１】
0004201354.tif 000012
【図１２】
0004201354.tif 000013
【図１３】
0004201354.tif 000014
【図１４】
0004201354.tif 000015
【図１５】
0004201354.tif 000016
【図１６】
0004201354.tif 000017
【図１７】
0004201354.tif 000018